(57)【要約】【課題】  システムにおける記憶装置の減少、高速化、並びに個人情報の保護を図り得るゲート管理システムを提供する。【解決手段】  登録者毎に所持する簡易携帯電話機を内蔵した携帯端末と、前記登録者毎の認識情報である生体情報、所持する携帯端末の識別番号、セキュリティレベルを記憶する管理装置と、複数の屋内基地局及びＰＢＸで構成される事業所用簡易携帯電話網と、前記各屋内基地局の管轄する無線ゾーンのエリア内に設けられ、ゲートに設けられた錠の開閉を制御するゲート装置と、前記管理装置、ＰＢＸ、各ゲート装置を接続するＬＡＮとを備え、登録者の認識情報を利用して、該登録者の通過を制御する。【選択図】        図１
2011047270.tif 000002
【特許請求の範囲】
【請求項１】
生体情報を用いた個人認証の結果に基づいて、ゲートに設けられた錠の開閉を制御するゲート装置において、
前記ゲートを通過しようとする登録者から生体情報を取得する生体情報取得部と、
登録者によって所持される携帯端末と通信する通信部とを備え、
前記ゲートを通過しようとする登録者がいる場合に、前記生体情報取得部によって当該登録者の生体情報を取得すると共に、登録者が所持する前記携帯端末からその識別番号を取得し、前記携帯端末の識別番号に対応付けられて予め登録されている登録者の登録生体情報を割り出し、前記生体情報取得部によって取得した当該登録者の生体情報と前記登録生体情報とを照合することを特徴とするゲート装置。
【請求項２】
前記登録生体情報はゲート装置外部の管理装置に予め登録されていて、ゲート装置はそこから前記登録生体情報を取得することを特徴とする請求項１に記載のゲート装置。
【請求項３】
生体情報を用いた個人認証の結果に基づいて、ゲートに設けられた錠の開閉を制御するゲート装置において、
前記ゲートを通過しようとする登録者から生体情報を取得する生体情報取得部と、
登録者によって所持される携帯端末と通信すると共に、前記携帯端末の識別番号と前記携帯端末を所持する登録者の登録生体情報とを対応付けて予め登録し、かつ生体情報を用いて個人認証を行う管理装置と通信する通信部とを備え、
前記ゲートを通過しようとする登録者がいる場合に、前記生体データ取得部によって当該登録者の生体情報を取得すると共に、登録者が所持する前記携帯端末からその識別番号を取得し、取得した生体情報と前記携帯端末の識別番号とを前記管理装置に送信して前記管理装置に当該登録者の個人認証を行わせ、その結果に基づいてゲートの開閉を行うことを特徴とするゲート装置。
【請求項４】
生体情報を用いた個人認証の結果に基づいて、ゲートに設けられた錠の開閉を制御するゲート装置において、
前記ゲートを通過しようとする登録者から生体情報を取得する生体情報取得部と、
登録者によって所持される携帯端末と通信する通信部とを備え、
前記ゲートを通過しようとする登録者がいる場合に、前記生体情報取得部によって当該登録者の生体情報を取得すると共に、登録者が所持する前記携帯端末に予め登録されている登録者の登録生体情報を取得し、前記生体情報取得部によって取得した当該登録者の生体情報と前記登録生体情報とを照合することを特徴とするゲート装置。
【請求項５】
前記登録生体情報はゲート装置外部の管理装置に一旦転送・登録され、ゲート装置はそこから前記登録生体情報を取得することを特徴とする請求項４に記載のゲート装置。
【請求項６】
生体情報を用いた個人認証の結果に基づいて、ゲートに設けられた錠の開閉を制御するゲート装置において、
前記ゲートを通過しようとする登録者から生体情報を取得する生体情報取得部と、
登録者によって所持される当該登録者の登録生体情報を記憶する携帯端末と通信すると共に、生体情報を用いて個人認証を行う管理装置と通信する通信部とを備え、
前記ゲートを通過しようとする登録者がいる場合に、前記生体データ取得部によって当該登録者の生体情報を取得すると共に、登録者が所持する前記携帯端末からその登録生体情報を取得し、取得した生体情報と登録生体情報とを前記管理装置に送信して前記管理装置に当該登録者の個人認証を行わせ、その結果に基づいてゲートの開閉を行うことを特徴とするゲート装置。
【請求項７】
ゲートを通過しようとする登録者が所持する携帯端末の識別番号に対応付けられた登録生体情報を予め登録する管理装置において、
前記登録者が所持する前記携帯端末における識別番号が供給されると、それに対応した登録生体情報を供給する登録生体情報供給手段と、
前記ゲートに設けられた錠の開閉を制御するゲート装置と通信する通信部を備え、
前記ゲートを通過しようとする登録者がいる場合に、前記ゲート装置が、当該登録者より取得した生体情報と照合を行うための前記登録生体情報を、前記ゲート装置が当該登録者の所持する前記携帯端末における識別番号を前記登録生体情報供給手段に供給することにより、前記ゲート装置に供給することを特徴とする管理装置。
【請求項８】
生体情報を用いた個人認証行う管理装置において、
前記ゲートに設けられた錠の開閉を制御するゲート装置と通信する通信部を備え、
前記ゲートを通過しようとする登録者がいる場合に、前記ゲート装置が取得した当該登録者の生体情報と、当該登録者が所持する前記携帯端末から取得した登録生体情報とを受信し、当該登録者の個人認証を行い、その結果に基づいて前記ゲート装置を制御することを特徴とする管理装置。
【請求項９】
ゲートを通過しようとする登録者が所持する携帯端末の識別番号に対応付けられた登録生体情報を予め登録すると共に、生体情報を用いた個人認証行う管理装置において、
前記登録者が所持する前記携帯端末における識別番号が供給されると、それに対応した登録生体情報を供給する登録生体情報供給手段と、
前記ゲートに設けられた錠の開閉を制御するゲート装置と通信する通信部を備え、
前記ゲートを通過しようとする登録者がいる場合に、前記ゲート装置が取得した当該登録者の生体情報と、当該登録者の所持する前記携帯端末における識別番号とを受信し、前記登録生体情報供給手段に前記識別番号を供給することにより得られた登録生体情報と、前記生体情報とから、当該登録者の個人認証を行い、その結果に基づいて前記ゲート装置を制御することを特徴とする管理装置。
【発明の詳細な説明】
【技術分野】
【０００１】
本発明は、無線通信機能を備えた携帯端末と生体認識機能を備えたゲート装置及び管理装置により個人の入退出を管理・制御するゲート装置、管理装置、並びにゲート管理システムに関する。
【背景技術】
【０００２】
従来、この種の生体情報（アイリス、指紋、網膜等）を利用することにより入退室用のゲートの開閉を行うゲート管理システムにおいて、生体情報による本人の確認や本人の有するセキュリティレベル及びスケジュール等に基づいて行われる入退室用のゲートの開閉制御は、各ゲート毎に設けられた専用のコンピュータによって行われていた。
【発明の概要】
【発明が解決しようとする課題】
【０００３】
ところで、上記のような従来の技術には次のような解決すべき課題があった。即ち、認識用の複数の個人データ（生体情報等）を、各ゲート毎に設けられた制御用の全てのコンピュータの記憶装置に保存しておかなければならないため、各々の装置（コンピュータを含むゲート制御装置）における記憶容量の増加と、各装置毎の個人データの同期をとらなければならない（例えば、データに変更が発生した場合などに、全ての装置に即座に且つ正確に反映しなければならない）必要があるという問題があった。
【０００４】
また、各装置には、個人の身体に関わる情報が記憶されることから、プライバシーが侵される可能性があるという問題があった。そのため、個人のプライバシーに関する情報は、ＩＣメモリカードに入れておくという方法もあるが、ゲートを開閉させるために、ゲート制御装置に、ＩＣメモリカードを挿入し、ゲート制御装置にＩＣメモリカードから個人データをロードしなければならないため、手間や時間がかかってしまうという問題があった。
【課題を解決するための手段】
【０００５】
本発明のゲート装置は、以上の点を解決するため、生体情報を用いた個人認証の結果に基づいて、ゲートに設けられた錠の開閉を制御するゲート装置において、前記ゲートを通過しようとする登録者から生体情報を取得する生体情報取得部と、登録者によって所持される携帯端末と通信する通信部とを備え、前記ゲートを通過しようとする登録者がいる場合に、前記生体情報取得部によって当該登録者の生体情報を取得すると共に、登録者が所持する前記携帯端末からその識別番号を取得し、前記携帯端末の識別番号に対応付けられて予め登録されている登録者の登録生体情報を割り出し、前記生体情報取得部によって取得した当該登録者の生体情報と前記登録生体情報とを照合することを特徴とする。
【０００６】
また、本発明のゲート装置は、前記登録生体情報はゲート装置外部の管理装置に予め登録されていて、ゲート装置はそこから前記登録生体情報を取得することを特徴とする。
【０００７】
また、本発明のゲート装置は、生体情報を用いた個人認証の結果に基づいて、ゲートに設けられた錠の開閉を制御するゲート装置において、前記ゲートを通過しようとする登録者から生体情報を取得する生体情報取得部と、登録者によって所持される携帯端末と通信すると共に、前記携帯端末の識別番号と前記携帯端末を所持する登録者の登録生体情報とを対応付けて予め登録し、かつ生体情報を用いて個人認証を行う管理装置と通信する通信部とを備え、前記ゲートを通過しようとする登録者がいる場合に、前記生体データ取得部によって当該登録者の生体情報を取得すると共に、登録者が所持する前記携帯端末からその識別番号を取得し、取得した生体情報と前記携帯端末の識別番号とを前記管理装置に送信して前記管理装置に当該登録者の個人認証を行わせ、その結果に基づいてゲートの開閉を行うことを特徴とする。
【０００８】
また、本発明のゲート装置は、生体情報を用いた個人認証の結果に基づいて、ゲートに設けられた錠の開閉を制御するゲート装置において、前記ゲートを通過しようとする登録者から生体情報を取得する生体情報取得部と、登録者によって所持される携帯端末と通信する通信部とを備え、前記ゲートを通過しようとする登録者がいる場合に、前記生体情報取得部によって当該登録者の生体情報を取得すると共に、登録者が所持する前記携帯端末に予め登録されている登録者の登録生体情報を取得し、前記生体情報取得部によって取得した当該登録者の生体情報と前記登録生体情報とを照合することを特徴とする。
【０００９】
また、本発明のゲート装置は、前記登録生体情報がゲート装置外部の管理装置に一旦転送・登録され、ゲート装置はそこから前記登録生体情報を取得することを特徴とする。
【００１０】
また、本発明のゲート装置は、生体情報を用いた個人認証の結果に基づいて、ゲートに設けられた錠の開閉を制御するゲート装置において、前記ゲートを通過しようとする登録者から生体情報を取得する生体情報取得部と、登録者によって所持される当該登録者の登録生体情報を記憶する携帯端末と通信すると共に、生体情報を用いて個人認証を行う管理装置と通信する通信部とを備え、前記ゲートを通過しようとする登録者がいる場合に、前記生体データ取得部によって当該登録者の生体情報を取得すると共に、登録者が所持する前記携帯端末からその登録生体情報を取得し、取得した生体情報と登録生体情報とを前記管理装置に送信して前記管理装置に当該登録者の個人認証を行わせ、その結果に基づいてゲートの開閉を行うことを特徴とする。
【００１１】
また、本発明の管理装置は、ゲートを通過しようとする登録者が所持する携帯端末の識別番号に対応付けられた登録生体情報を予め登録する管理装置において、前記登録者が所持する前記携帯端末における識別番号が供給されると、それに対応した登録生体情報を供給する登録生体情報供給手段と、前記ゲートに設けられた錠の開閉を制御するゲート装置と通信する通信部を備え、前記ゲートを通過しようとする登録者がいる場合に、前記ゲート装置が、当該登録者より取得した生体情報と照合を行うための前記登録生体情報を、前記ゲート装置が当該登録者の所持する前記携帯端末における識別番号を前記登録生体情報供給手段に供給することにより、前記ゲート装置に供給することを特徴とする。
【００１２】
また、本発明の管理装置は、生体情報を用いた個人認証行う管理装置において、前記ゲートに設けられた錠の開閉を制御するゲート装置と通信する通信部を備え、前記ゲートを通過しようとする登録者がいる場合に、前記ゲート装置が取得した当該登録者の生体情報と、当該登録者が所持する前記携帯端末から取得した登録生体情報とを受信し、当該登録者の個人認証を行い、その結果に基づいて前記ゲート装置を制御することを特徴とする。
【００１３】
また、本発明の管理装置は、ゲートを通過しようとする登録者が所持する携帯端末の識別番号に対応付けられた登録生体情報を予め登録すると共に、生体情報を用いた個人認証行う管理装置において、前記登録者が所持する前記携帯端末における識別番号が供給されると、それに対応した登録生体情報を供給する登録生体情報供給手段と、前記ゲートに設けられた錠の開閉を制御するゲート装置と通信する通信部を備え、前記ゲートを通過しようとする登録者がいる場合に、前記ゲート装置が取得した当該登録者の生体情報と、当該登録者の所持する前記携帯端末における識別番号とを受信し、前記登録生体情報供給手段に前記識別番号を供給することにより得られた登録生体情報と、前記生体情報とから、当該登録者の個人認証を行い、その結果に基づいて前記ゲート装置を制御することを特徴とする。
【発明の効果】
【００１４】
認識用の複数の個人データ（生体情報等）を、管理装置１個所のみに保存しておくようにしたので、各々の装置（コンピュータを含むゲート制御装置）における記憶容量の増加と、各装置毎の個人データの同期をとる必要が無くなるため、記憶容量の増大や、情報の管理等に要する時間を減少させることができる。
【００１５】
また、各装置に記憶される、個人の身体に関わる情報を、１つの装置のみに記憶するか、ＩＣメモリカードに記憶し、各個人がゲート制御装置に近づいた時には、ゲートの開閉に必要な情報が全て、当該ゲート制御装置に転送されていて、即座に個人認証が可能な構成としたので、認証処理の高速化と、個人のプライバシーに関する情報を保護することができる。
【図面の簡単な説明】
【００１６】
【図１】本発明のゲート管理システムの第１の実施の形態を示したブロック図である。
【図２】本発明のゲート管理システムの第１の実施の形態を構成する簡易携帯電話内蔵の携帯端末を示したブロック図である。
【図３】個人の認識情報の登録手順を示したフローチャートである。
【図４】ゲートが開錠するまでの流れを示したフローチャートである。
【図５】本発明のゲート管理システムの第２の実施の形態を示したブロック図である。
【図６】本発明のゲート管理システムの第２の実施の形態を構成する簡易携帯電話内蔵の携帯端末を示したブロック図である。
【図７】個人の認識情報の登録手順を示したフローチャートである。
【図８】ゲートが開錠するまでの流れを示したフローチャートである。
【図９】本発明のゲート管理システムの第３の実施の形態を示したブロック図である。
【図１０】本発明のゲート管理システムの第３の実施の形態を構成する簡易携帯電話内蔵の携帯端末を示したブロック図である。
【図１１】ゲートが開錠するまでの流れを示したフローチャートである。
【発明を実施するための形態】
【００１７】
以下、本発明の実施の形態を具体例を用いて説明する。
〈具体例１〉
図１は、本発明のゲート管理システムの第１の実施の形態を示したブロック図である。
【００１８】
図１に示す如くに、管理装置１は、個人の認識情報（当該個人固有の生体情報、当該個人のＩＤ番号、当該個人が所持する携帯端末の識別番号、当該個人のセキュリティレベル、当該個人のスケジュール等）を、所定の方法にてそれぞれ取り込む登録機９と、登録機９にて取り込んだ認識情報を記憶するメモリ１８と、メモリ１８に記憶された認識情報を後述のゲート装置２乃至５の内の所定のゲート装置に配布（送信）したり、個人の入退出（ゲートの通過）の情報管理を行う制御部（サーバ）８により構成される。
【００１９】
ゲート装置２乃至５は、それぞれ制御部１０と照合機１１により構成され、各ゲート装置内に設けられた制御部１０には、それぞれ、電気錠及び入退出センサの設置されたゲート（ドア）１２乃至１５が設けられている。制御部１０は、例えば、管理装置１からダウンロードされる認識情報（この場合、生体情報）と、照合機１１により読み取られた、ゲート通過希望者の生体情報とを比較し、通過が許可された者であることが認証され、且つ前記認識情報（この場合、セキュリティレベル）が、当該ゲートの有するセキュリティレベル以上であった場合に、ゲート（ドア）に設けられた電気錠を開錠する。これにより、ゲート通過希望者はゲートの通過が可能となる。
【００２０】
ゲート通過希望者がゲートを通過する際、ゲートに設けられた入退出センサによりゲートの通過が制御部１０に通知される。この通知を受けた制御部１０は、ゲート通過情報として管理装置１に通知し、管理装置１の制御部８は、この情報に基づいて、入退出の情報管理を行う。
【００２１】
ＬＡＮ６、ＨＵＢ１、ＨＵＢ２、及びＨＵＢ３は、事業所内ＬＡＮシステムを構成し、ＰＢＸ７、屋内基地局Ａ、屋内基地局Ｂ、及び屋内基地局Ｃは、事業所用簡易携帯電話網を構成する。各々の屋内基地局は、無線ゾーンａ、無線ゾーンｂ、及び無線ゾーンｃをエリアとして持ち、後述の携帯端末の位置情報（携帯端末がどの無線ゾーンに居るか）を、管理装置１の制御部８に対し、ＬＡＮ６を介して伝える。尚、無線ゾーンａにはゲート装置２及び３が、無線ゾーンｂにはゲート装置４が、無線ゾーンｃにはゲート装置５がそれぞれ含まれる構成となっている。
【００２２】
図２は本発明のゲート管理システムの第１の実施の形態を構成する簡易携帯電話内蔵の携帯端末を示したブロック図である。図２に示す如くに、携帯端末２１は少なくとも、簡易携帯電話２２、ＬＣＤ（液晶表示画面）、並びにこれらを制御する制御部２４にて構成されている。
【００２３】
〈具体例１の動作〉
次に動作について説明する。
ゲート（ドア）１２乃至１５を通過し、例えば、その先に設けられた部屋に入室（退出も同様）しようとする者（各個人）は、先ず、それぞれ自分の携帯端末を所有し、管理装置１にて、個人の認識情報の登録を行う必要がある。
図３を参照して、個人の認識情報の登録手順について説明を行う。尚、図３は個人の認識情報の登録手順を示したフローチャートである。
【００２４】
個人の認識情報の登録を行おうとする個人（登録者）は、本発明におけるゲート管理システムのシステム管理者の指示に従い、先ず、登録機９の光学部より生体情報（アイリス、指紋、網膜等）を、例えば映像情報として登録する。登録機９に登録された映像情報は、制御部８にて所定のデータフォーマットに変換され、メモリ１８に記憶される（ステップＳ１）。
【００２５】
システム管理者は、同時に、登録機９に設けられたキーボード等の入力手段より、生体情報以外の登録者の個人情報、即ち社員番号等の個人ＩＤ番号の登録（ステップＳ２）、登録者の所有する簡易携帯電話の識別番号の登録（ステップＳ３）、登録者へのセキュリティレベルの付与並びに登録（ステップＳ４）、登録者の入室等のためのゲート通過スケジュールの登録（ステップＳ５）を行う。尚、これら登録された情報は、メモリ１８に記憶される。
【００２６】
次に、前記登録者によりゲート（ドア）が開錠されるまでの流れについて図４を参照して説明を行う。図４はゲート１２が開錠するまでの流れを示したフローチャートである。尚、説明を単純化するため、登録者が無線ゾーンａ内のゲート１２を開錠して入室する場合を例に説明を行う。
【００２７】
簡易携帯電話内蔵の携帯端末２１を保持した登録者が、携帯端末２１を保持したままゲート装置２（ゲート１２）に向かっているとする。ゲート１２は無線ゾーンａ内にあるので、携帯端末２１を保持した登録者は、ゲート１２に到達する前に無線ゾーンａのエリア内に侵入することになる。
【００２８】
登録者が無線ゾーンａのエリア内に侵入すると、登録者が保持する携帯端末２１に内蔵される簡易携帯電話２２の発する電波が屋内基地局Ａに検知され、お互いを認識するための交信が行われる（ステップＴ１）。これにより、屋内基地局Ａは携帯端末２１の位置情報と簡易携帯電話の識別番号（携帯端末の識別番号ともいう、以降同様）を認識する。屋内基地局Ａにより認識されたこれら情報は、ＰＢＸ７、ＨＵＢ２、ＬＡＮ６、ＨＵＢ１を介して管理装置１に伝達される（ステップＴ２）。
【００２９】
管理装置１では、ＰＢＸ７から伝達された携帯端末２１（登録者）の位置情報並びに内蔵する簡易携帯電話の識別番号に基づいて、登録者がどのゲートを通過しようとしているのかを判断し、当該ゲートを制御するゲート制御装置（この場合ゲート装置２及び３）に対して、当該登録者の認識情報（生体情報、個人ＩＤ番号、登録者のセキュリティレベル、登録者のゲート通過スケジュール）を通知する（ステップＴ３）。
【００３０】
ゲート１２に到着した当該登録者は、ゲート装置２に設けられた照合機１１の光学部より生体情報（アイリス、指紋、網膜等）を入力する。入力された生体情報は、制御部１０に送られ、管理装置１より通知された生体情報との照合が行われ、不一致の場合にはゲートは開錠されることなく処理は終了する（ステップＴ４）。
【００３１】
一方、ステップＴ４にて照合の結果が一致した場合には、ゲート装置２に予め設定されたセキュリティレベルと、管理装置１より通知された当該登録者の有するセキュリティレベルの比較が行われ、ゲート装置２に予め設定されたセキュリティレベルより、当該登録者の有するセキュリティレベルの方が低かった場合にはゲートは開錠されることなく処理は終了する（ステップＴ５）。
【００３２】
一方、ステップＴ５にて、ゲート装置２に予め設定されたセキュリティレベルより、当該登録者の有するセキュリティレベルの方が高かった場合には、現在の時刻が、当該登録者のゲート通過スケジュールとの照合が行われ、不一致の場合にはゲートは開錠されることなく処理は終了する（ステップＴ６）。
【００３３】
一方、ステップＴ６にて、照合の結果が一致した場合には、ゲート装置２により、ゲート１２の電気錠が開錠される（ステップＴ７）。尚、ゲート装置２はこのとき同時に、ゲート１２に設けられた入退出センサからの情報により、当該ゲートの通過情報を管理装置１に通知する。
【００３４】
ところで、上記ステップＴ１〜Ｔ３までの処理は非常に高速に行われるため、登録者が無線ゾーンａに侵入してからゲート１２に到達したときには、ゲート装置２には、既に当該登録者の認識情報（生体情報、個人ＩＤ番号、登録者のセキュリティレベル、登録者のゲート通過スケジュール等）がダウンロードされているので、ゲート装置２による当該登録者の生体情報の照合、セキュリティレベルの比較、スケジュールの照合（以降、当該登録者の認証ともいう）を、即座に行うことが可能となっている。
【００３５】
また、登録者がゲート１２を通り、用事を済ませて戻ってきて、無線ゾーンａのエリア外に出ると、管理装置１に通知され、管理装置１によって、ゲート装置２，３にダウンロードされた当該登録者の認識情報の破棄が指示される。当該登録者の認識情報の破棄は当該登録者がゲートを通過した際に行うようにしても良い。
【００３６】
尚、以上の説明では、ゲートを、一方から他方へ通過する場合（例えば、ある部屋に入室する場合等）について述べたが、逆の場合（退室等）は、同様に当該登録者の認証を行った後、退出可能とするようにしても良いし、退室は自由に（例えば、内側の鍵ノブを回すことで開錠される）、即ち、当該登録者の認証無しに退出可能としても良い。この場合、開錠されたゲートが閉まると自動的（即座）に施錠されるようにする（以降の具体例においても同様）。
【００３７】
〈具体例１の効果〉
以上述べたように、上記具体例１によれば、登録者各人が所持する携帯端末により検知される当該登録者の現在の位置情報並びに携帯端末の内蔵する簡易携帯電話の識別番号に基づいて、通過しようとしているゲート装置にのみ、当該登録者の個人情報を管理装置からダウンロードする様にしたので、ゲート装置にデータ記憶用の記憶装置等が不要となり、ゲート装置の小型化並びに低価格化が可能となっている。
【００３８】
また、当該登録者の認証に必要な認識情報（生体情報、個人ＩＤ番号、登録者のセキュリティレベル、登録者のゲート通過スケジュール等）は、当該登録者が任意の無線ゾーンのエリア内に入った時から、当該無線ゾーン内に有るゲート装置に到達するまでの間に、当該登録者が向かっているゲート装置にダウンロードされるので、ゲート装置による当該登録者の認証を、即座に行うことが可能となっている。
【００３９】
〈具体例２〉
次に具体例２について、図面を参照して説明する。
図５は、本発明のゲート管理システムの第２の実施の形態を示したブロック図である。
【００４０】
図５に示す如くに、管理装置１６は、個人の認識情報（当該個人が所持する携帯端末の識別番号、当該個人のセキュリティレベル、当該個人のスケジュール等）を、所定の方法にてそれぞれ取り込む登録機２０と、登録機２０にて取り込んだ認識情報を記憶するメモリ１９と、メモリ１９に記憶された認識情報を後述のゲート装置２乃至５の内の所定のゲート装置に配布（送信）したり、個人の入退出（ゲートの通過）の情報管理を行う制御部（サーバ）１７により構成される。
【００４１】
ゲート装置２乃至５は、それぞれ制御部１０と照合機１１により構成され、各ゲート装置内に設けられた制御部１０には、それぞれ、電気錠及び入退出センサの設置されたゲート（ドア）１２乃至１５が設けられている。制御部１０は、例えば、管理装置１６からダウンロードされる認識情報（この場合、生体情報）と、照合機１１により読み取られた、ゲート通過希望者の生体情報とを比較し、通過が許可された者であることが認証され、且つ前記認識情報（この場合、セキュリティレベル）が、当該ゲートの有するセキュリティレベル以上であった場合に、ゲート（ドア）に設けられた電気錠を開錠する。これにより、ゲート通過希望者はゲートの通過が可能となる。
【００４２】
ゲート通過希望者がゲートを通過する際、ゲートに設けられた入退出センサによりゲートの通過が制御部１０に通知される。この通知を受けた制御部１０は、ゲート通過情報として管理装置１６に通知し、管理装置１６の制御部１７は、この情報に基づいて、入退出の情報管理を行う。
【００４３】
ＬＡＮ６、ＨＵＢ１、ＨＵＢ２、及びＨＵＢ３は、事業所内ＬＡＮシステムを構成し、ＰＢＸ７、屋内基地局Ａ、屋内基地局Ｂ、及び屋内基地局Ｃは、事業所用簡易携帯電話網を構成する。各々の屋内基地局は、無線ゾーンａ、無線ゾーンｂ、及び無線ゾーンｃをエリアとして持ち、後述の携帯端末の位置情報（携帯端末がどの無線ゾーンに居るか）を、管理装置１６の制御部１７に対し、ＬＡＮ６を介して伝える。尚、無線ゾーンａにはゲート装置２及び３が、無線ゾーンｂにはゲート装置４が、無線ゾーンｃにはゲート装置５がそれぞれ含まれる構成となっている。
【００４４】
図６は本発明のゲート管理システムの第２の実施の形態を構成する簡易携帯電話内蔵の携帯端末を示したブロック図である。図６に示す如くに、携帯端末２５は少なくとも、簡易携帯電話２２、ＬＣＤ（液晶表示画面）２３、携帯端末２５を所持する個人の認識情報（当該個人固有の生体情報、当該個人のＩＤ番号）を所定の方法にて予め記憶するメモリカード２８、並びにこれらを制御する制御部２７にて構成されている。
【００４５】
〈具体例２の動作〉
次に動作について説明する。
ゲート（ドア）１２乃至１５を通過し、例えば、その先に設けられた部屋に入室（退出も同様）しようとする者（各個人）は、先ず、それぞれ自分の携帯端末を所有し、管理装置１６にて、個人の認識情報の登録を行う必要がある。
図７を参照して、個人の認識情報の登録手順について説明を行う。尚、図７は個人の認識情報の登録手順を示したフローチャートである。
【００４６】
個人の認識情報の登録を行おうとする個人（登録者）は、本発明におけるゲート管理システムのシステム管理者の指示に従い、登録機２０に設けられたキーボード等の入力手段より、登録者の個人情報、即ち、登録者の所有する簡易携帯電話の識別番号の登録（ステップＡ１）、登録者へのセキュリティレベルの付与並びに登録（ステップＡ２）、登録者の入室等のためのゲート通過スケジュールの登録（ステップＡ３）を行う。尚、これら登録された情報は、メモリ１９に記憶される。
【００４７】
また、具体例２においては、具体例１において管理装置１に登録された、登録者個人のプライバシーに関わる情報である認識情報（当該個人固有の生体情報及び当該個人のＩＤ番号）は、登録者が所持する携帯端末２５のメモリカード２８に予め所定の方法にて登録（記憶）されているものとする。
【００４８】
次に、前記登録者によりゲート（ドア）が開錠されるまでの流れについて図８を参照して説明を行う。図８はゲート１２が開錠するまでの流れを示したフローチャートである。尚、説明を単純化するため、登録者が無線ゾーンａ内のゲート１２を開錠して入室する場合を例に説明を行う。
【００４９】
簡易携帯電話内蔵の携帯端末２５を保持した登録者が、携帯端末２５を保持したままゲート装置２（ゲート１２）に向かっているとする。ゲート１２は無線ゾーンａ内にあるので、携帯端末２５を保持した登録者は、ゲート１２に到達する前に無線ゾーンａのエリア内に侵入することになる。
【００５０】
登録者が無線ゾーンａのエリア内に侵入すると、登録者が保持する携帯端末２５に内蔵される簡易携帯電話２２の発する電波が屋内基地局Ａに検知され、お互いを認識するための交信が行われる（ステップＢ１）。これにより、屋内基地局Ａは携帯端末２５の位置情報と簡易携帯電話の識別番号を認識する。屋内基地局Ａにより認識されたこれら情報は、ＰＢＸ７、ＨＵＢ２、ＬＡＮ６、ＨＵＢ１を介して管理装置１６に伝達される（ステップＢ２）。
【００５１】
これに伴い、管理装置１６は、携帯端末２５に対し、屋内基地局Ａを介してメモリカード２８に登録（記憶）されている登録者個人のプライバシーに関わる情報である認識情報（当該個人固有の生体情報及び当該個人のＩＤ番号）のアップロードを要求する。携帯端末２５の制御部２７は、この要求に応じ、屋内基地局Ａ、ＰＢＸ７、ＬＡＮ６を介して、メモリカード２８に登録（記憶）されている認識情報（当該個人固有の生体情報及び当該個人のＩＤ番号）のアップロードを管理装置１６に対して行う（ステップＢ３）。
【００５２】
管理装置１では、ＰＢＸ７から伝達された携帯端末２１（登録者）の位置情報並びに内蔵する簡易携帯電話の識別番号に基づいて、登録者がどのゲートを通過しようとしているのかを判断し、当該ゲートを制御するゲート制御装置（この場合ゲート装置２及び３）に対して、携帯端末２５よりアップロードされた認識情報（当該個人固有の生体情報及び当該個人のＩＤ番号）とメモリ１９に記憶された当該登録者の認識情報（登録者のセキュリティレベル、登録者のゲート通過スケジュール）を通知する（ステップＢ４）。
【００５３】
ゲート１２に到着した当該登録者は、ゲート装置２に設けられた照合機１１の光学部より生体情報（アイリス、指紋、網膜等）を入力する。入力された生体情報は、制御部１０に送られ、管理装置１６より通知された生体情報との照合が行われ、不一致の場合にはゲートは開錠されることなく処理は終了する（ステップＢ５）。
【００５４】
一方、ステップＢ５にて照合の結果が一致した場合には、ゲート装置２に予め設定されたセキュリティレベルと、管理装置１６より通知された当該登録者の有するセキュリティレベルの比較が行われ、ゲート装置２に予め設定されたセキュリティレベルより、当該登録者の有するセキュリティレベルの方が低かった場合にはゲートは開錠されることなく処理は終了する（ステップＢ６）。
【００５５】
一方、ステップＢ６にて、ゲート装置２に予め設定されたセキュリティレベルより、当該登録者の有するセキュリティレベルの方が高かった場合には、現在の時刻が、当該登録者のゲート通過スケジュールとの照合が行われ、不一致の場合にはゲートは開錠されることなく処理は終了する（ステップＢ７）。
【００５６】
一方、ステップＢ７にて、照合の結果が一致した場合には、ゲート装置２により、ゲート１２の電気錠が開錠される（ステップＢ８）。尚、ゲート装置２はこのとき同時に、ゲート１２に設けられた入退出センサからの情報により、当該ゲートの通過情報を管理装置１６に通知する。
【００５７】
ところで、上記ステップＢ１〜Ｂ４までの処理は非常に高速に行われるため、登録者が無線ゾーンａに侵入してからゲート１２に到達したときには、ゲート装置２には、既に当該登録者の認識情報（生体情報、個人ＩＤ番号、登録者のセキュリティレベル、登録者のゲート通過スケジュール等）がダウンロードされているので、ゲート装置２による当該登録者の生体情報の照合、セキュリティレベルの比較、スケジュールの照合（当該登録者の認証ともいう）を、即座に行うことが可能となっている。
【００５８】
また、登録者がゲート１２を通り、用事を済ませて戻ってきて、無線ゾーンａのエリア外に出ると、管理装置１６に通知され、管理装置１６によって、ゲート装置２，３にダウンロードされた当該登録者の認識情報の破棄が指示される。当該登録者の認識情報の破棄は当該登録者がゲートを通過した際に行うようにしても良い。
【００５９】
尚、以上の説明では、ゲートを、一方から他方へ通過する場合（例えば、ある部屋に入室する場合等）について述べたが、逆の場合（退室等）は、同様に当該登録者の認証を行った後、退出可能とするようにしても良いし、退室は自由に（例えば、内側の鍵ノブを回すことで開錠される）、即ち、当該登録者の認証無しに退出可能としても良い。この場合、開錠されたゲートが閉まると自動的（即座）に施錠されるようにする。
【００６０】
〈具体例２の効果〉
以上述べたように、上記具体例２によれば、登録者各人が所持する携帯端末により検知される当該登録者の現在の位置情報並びに携帯端末の内蔵する簡易携帯電話の識別番号に基づいて、通過しようとしているゲート装置にのみ、当該登録者の個人情報を管理装置からダウンロードする様にしたので、ゲート装置にデータ記憶用の記憶装置等が不要となり、ゲート装置の小型化並びに低価格化が可能となっている。
【００６１】
また、登録者個人のプライバシーに関わる情報である認識情報（当該個人固有の生体情報及び当該個人のＩＤ番号）は、携帯端末２５に対し、屋内基地局Ａを介してメモリカード２８に登録（記憶）されているため、管理装置内のメモリの容量を小さなものとすることができる。また、個人のプライバシーに関わる情報である認識情報（当該個人固有の生体情報及び当該個人のＩＤ番号）は、個人で管理することができるため、より高いプライバシーの保護が可能となる。
【００６２】
また、当該登録者の認証に必要な認識情報（生体情報、個人ＩＤ番号、登録者のセキュリティレベル、登録者のゲート通過スケジュール等）は、当該登録者が任意の無線ゾーンのエリア内に入った時から、当該無線ゾーン内に有るゲート装置に到達するまでの間に、当該登録者が向かっているゲート装置にダウンロードされるので、ゲート装置による当該登録者の認証を、即座に行うことが可能となっている。
【００６３】
〈具体例３〉
次に具体例３について、図面を参照して説明する。
図９は、本発明のゲート管理システムの第３の実施の形態を示したブロック図である。
【００６４】
図９に示す如くに、管理装置３１は、個人の認識情報（当該個人が所持する携帯端末の識別番号、当該個人のセキュリティレベル、当該個人のスケジュール等）を、所定の方法にてそれぞれ取り込む登録機２０と、登録機２０にて取り込んだ認識情報を記憶するメモリ３３と、メモリ３３に記憶された認識情報を後述のゲート装置３５乃至３７の内の所定のゲート装置に配布（送信）したり、個人の入退出（ゲートの通過）の情報管理を行う制御部（サーバ）３２により構成される。
【００６５】
ゲート装置３５乃至３７は、それぞれ制御部３４と照合機１１により構成され、各ゲート装置内に設けられた制御部３４には、それぞれ、電気錠及び入退出センサの設置されたゲート（ドア）１３乃至１５が設けられている。制御部３４は、例えば、管理装置３１からダウンロードされる認識情報（この場合、生体情報）と、照合機１１により読み取られた、ゲート通過希望者の生体情報とを比較し、通過が許可された者であることが認証され、且つ前記認識情報（この場合、セキュリティレベル）が、当該ゲートの有するセキュリティレベル以上であった場合に、ゲート（ドア）に設けられた電気錠を開錠する。これにより、ゲート通過希望者はゲートの通過が可能となる。
【００６６】
ゲート通過希望者がゲートを通過する際、ゲートに設けられた入退出センサによりゲートの通過が制御部３２に通知される。この通知を受けた制御部３２は、ゲート通過情報として管理装置３１に通知し、管理装置３１の制御部３２は、この情報に基づいて、入退出の情報管理を行う。
【００６７】
ＬＡＮ６、ＨＵＢ１、ＨＵＢ２、及びＨＵＢ３は、事業所内ＬＡＮシステムを構成し、屋内基地局Ａ、屋内基地局Ｂ、及び屋内基地局Ｃは、それぞれ、ゲート装置３５乃至３７の制御部に接続されている。各々の屋内基地局は、無線ゾーンａ、無線ゾーンｂ、及び無線ゾーンｃをエリアとして持ち、後述の携帯端末の位置情報（携帯端末がどの無線ゾーンに居るか）を、管理装置３１の制御部３２に対し、ＬＡＮ６を介して伝える。尚、無線ゾーンａにはゲート装置３５が、無線ゾーンｂにはゲート装置３６が、無線ゾーンｃにはゲート装置３７がそれぞれ含まれる構成となっている。
【００６８】
図１０は本発明のゲート管理システムの第３の実施の形態を構成する簡易携帯電話内蔵の携帯端末を示したブロック図である。図１０に示す如くに、携帯端末２９は少なくとも、簡易携帯電話２２、ＬＣＤ（液晶表示画面）２３、携帯端末２９を所持する個人の認識情報（当該個人固有の生体情報、当該個人のＩＤ番号）を所定の方法にて予め記憶するメモリカード２８、並びにこれらを制御する制御部３０にて構成されている。
【００６９】
〈具体例３の動作〉
次に動作について説明する。
ゲート（ドア）１３乃至１５を通過し、例えば、その先に設けられた部屋に入室（退出も同様）しようとする者（各個人）は、先ず、それぞれ自分の携帯端末を所有し、管理装置３１にて、個人の認識情報の登録を行う必要がある。個人の認識情報の登録手順については、具体例２で、図７を参照して説明したのと同様であるのでここでの説明は省略する。
【００７０】
具体例３においては、具体例１において管理装置１に登録された、登録者個人のプライバシーに関わる情報である認識情報（当該個人固有の生体情報及び当該個人のＩＤ番号）は、登録者が所持する携帯端末２９のメモリカード２８に予め所定の方法にて登録（記憶）されているものとする。
【００７１】
次に、前記登録者によりゲート（ドア）が開錠されるまでの流れについて図１１を参照して説明を行う。図１１はゲート１３が開錠するまでの流れを示したフローチャートである。尚、説明を単純化するため、登録者が無線ゾーンａ内のゲート１３を開錠して入室する場合を例に説明を行う。
【００７２】
簡易携帯電話内蔵の携帯端末２９を保持した登録者が、携帯端末２９を保持したままゲート装置３５（ゲート１３）に向かっているとする。ゲート１３は無線ゾーンａ内にあるので、携帯端末２９を保持した登録者は、ゲート１３に到達する前に無線ゾーンａのエリア内に侵入することになる。
【００７３】
登録者が無線ゾーンａのエリア内に侵入すると、登録者が保持する携帯端末２９に内蔵される簡易携帯電話２２の発する電波が屋内基地局Ａに検知され、ゲート装置３５の制御部３４に伝えられる（ステップＣ１）。これにより、ゲート装置３５の制御部３４は、屋内基地局Ａを介し、携帯端末２９にメモリカード２８に登録（記憶）されている登録者個人のプライバシーに関わる情報である認識情報（当該個人固有の生体情報及び当該個人のＩＤ番号）のアップロードを要求する。携帯端末２９の制御部３０は、この要求に応じ、屋内基地局Ａを介して、メモリカード２８に登録（記憶）されている認識情報（当該個人固有の生体情報及び当該個人のＩＤ番号）のアップロードをゲート装置３５の制御部３４に対して行う（ステップＣ２）。
【００７４】
これに伴い、ゲート装置３５の制御部３４は、管理装置３１に対し、ＬＡＮ６を介してメモリ３３に登録（記憶）されている、登録者個人のプライバシーに関わる情報である認識情報（当該個人固有の生体情報及び当該個人のＩＤ番号）に対する個人の認識情報（当該個人が所持する携帯端末の識別番号、当該個人のセキュリティレベル、当該個人のスケジュール等）のダウンロードを要求する。管理装置３１は、この要求に応じ、管理装置３１はＬＡＮ６を介してメモリ３３に登録（記憶）されている、認識情報（当該個人が所持する携帯端末の識別番号、当該個人のセキュリティレベル、当該個人のスケジュール等）のダウンロードを、ゲート装置３５の制御部３４に対して行う（ステップＣ３）。
【００７５】
ゲート１２に到着した当該登録者は、ゲート装置３５に設けられた照合機１１の光学部より生体情報（アイリス、指紋、網膜等）を入力する。入力された生体情報は、制御部３４に送られ、携帯端末２９よりアップロードされた生体情報との照合が行われ、不一致の場合にはゲートは開錠されることなく処理は終了する（ステップＣ４）。
【００７６】
一方、ステップＣ４にて照合の結果が一致した場合には、ゲート装置３５に予め設定されたセキュリティレベルと、管理装置３１よりダウンロードされた当該登録者の有するセキュリティレベルの比較が行われ、ゲート装置３５に予め設定されたセキュリティレベルより、当該登録者の有するセキュリティレベルの方が低かった場合にはゲートは開錠されることなく処理は終了する（ステップＣ５）。
【００７７】
一方、ステップＣ６にて、ゲート装置３５に予め設定されたセキュリティレベルより、当該登録者の有するセキュリティレベルの方が高かった場合には、現在の時刻が、当該登録者のゲート通過スケジュールとの照合が行われ、不一致の場合にはゲートは開錠されることなく処理は終了する（ステップＣ６）。
【００７８】
一方、ステップＣ６にて、照合の結果が一致した場合には、ゲート装置３５により、ゲート１３の電気錠が開錠される（ステップＣ７）。尚、ゲート装置３５はこのとき同時に、ゲート１３に設けられた入退出センサからの情報により、当該ゲートの通過情報を管理装置３１に通知する。
【００７９】
ところで、上記ステップＣ１〜Ｃ３までの処理は非常に高速に行われるため、登録者が無線ゾーンａに侵入してからゲート１３に到達したときには、ゲート装置３５には、既に当該登録者の認識情報（生体情報、個人ＩＤ番号、登録者のセキュリティレベル、登録者のゲート通過スケジュール等）がダウンロードされているので、ゲート装置３５による当該登録者の生体情報の照合、セキュリティレベルの比較、スケジュールの照合（当該登録者の認証）を、即座に行うことが可能となっている。
【００８０】
また、登録者がゲート１３を通り、用事を済ませて戻ってきて、無線ゾーンａのエリア外に出ると、ゲート装置３５によって、ゲート装置３５にダウンロードされた当該登録者の認識情報の破棄が行われる。当該登録者の認識情報の破棄は当該登録者がゲートを通過した際に行うようにしても良い。
【００８１】
尚、以上の説明では、ゲートを、一方から他方へ通過する場合（例えば、ある部屋に入室する場合等）について述べたが、逆の場合（退室等）は、同様に当該登録者の認証を行った後、退出可能とするようにしても良いし、退室は自由に（例えば、内側の鍵ノブを回すことで開錠される）、即ち、当該登録者の認証無しに退出可能としても良い。この場合、開錠されたゲートが閉まると自動的（即座）に施錠されるようにする。
【００８２】
〈具体例３の効果〉
以上述べたように、上記具体例３によれば、具体例１及び２に記載の効果に加え、ＰＢＸを無くし、事業所用簡易携帯電話網の構築を不要としたので、システム全体の小型化並びに低価格化が可能となる。
【００８３】
〈具体例４〉
具体例４の構成は、具体例３にて図９及び図１０を参照して説明したものと同様であるので、説明は省略する。具体例４では、具体例３にて説明したゲート管理システムを、簡易携帯電話を用いた構内メールシステムとして利用するものである。具体例４では、携帯端末２９はメールの送受信機能を有し、各屋内基地局により構成される構内メールシステムのメール送受信端末として機能する。
【００８４】
〈具体例４の動作〉
次に動作について説明する。
具体例３の場合と同様に携帯端末２９を所持する登録者が任意の無線ゾーンに入ると、管理装置３１の制御部３２は、当該登録者がどの無線ゾーンに入ったかを検出（管理）する。このように、本具体例による構内メールシステムは、登録者毎の位置情報を管理し、当該登録者の居る無線ゾーン以外の他の無線ゾーンにおいて、他人が当該登録者宛のメールを読むことを禁止する。
【００８５】
図面を参照して、さらに詳しく説明する。
いま、任意の登録者が、無線ゾーンａ内にあるゲート装置３５（ドア１３）より入室し、無線ゾーンａに属しているとする。そして、無線ゾーンａに属している当該登録者の携帯端末２９より、メールの受信要求が有ったとすると、具体例３にて説明した如くに、携帯端末２９はゲート管理システムにより個人の認証が行われているため、メールの受信が許可される。尚、この時、当該登録者宛のメールは、ゲート管理システムにより無線ゾーンａを生成する屋内基地局Ａにのみ配信される。
【００８６】
このとき、同じ無線ゾーンａや他の無線ゾーンｂやｃより、当該登録者以外の他の携帯端末により前記当該登録者宛のメールの受信要求が有った場合、ゲート管理システムは、当該登録者以外の登録者を前記当該登録者であると認識（認証）していないため、前記当該登録者宛のメールの受信要求は拒否される。
【００８７】
〈具体例４の効果〉
以上述べたように、上記具体例４によれば、携帯端末の持ち主である登録者のいる位置が分かるので、当該登録者のいる位置を管轄する屋内基地局へのみ当該登録者宛のメールを配信することができると共に、メールの受信要求のあった携帯端末が個人認証の行われた当該登録者の所有する携帯端末であると判断された場合のみ、該携帯端末にてメールを見ることができるため、他の携帯端末や不正な手段により当該登録者宛のメールが閲覧されることを防止することができ、セキュリティの高いメールシステムを構築することができる。
【００８８】
以上、本発明では、事業所内における簡易携帯電話網を利用したゲート管理システムについて説明したが、本社、支社といった異なる事業所間におけるゲート管理システムとしても、適用可能であることは勿論である。
【００８９】
また、上記発明では、個人の認証判定は各ゲート装置各々によって行われるものとして説明したが、これに限定されることはなく、例えば、管理装置が行うようにしても良い。この場合、ゲート装置の構成として、ゲート装置側からゲート装置が有する個人認証のために必要な情報を管理装置に送信し、管理装置にて行われた「個人認証判定の結果」を管理装置から受信し、その受信結果に基づいてゲートの開閉を行う構成と、管理装置から前記個人認証判定の結果に基づいた「ゲートの開閉を指示する信号」を受信し、その受信信号に従ってゲートの開閉を行う構成とが考えられるが、これらに限定されないことは勿論である。
【符号の説明】
【００９０】
１，１６，３１  管理装置
２，３，４，５，３５，３６，３７  ゲート装置
６  ＬＡＮ
７  ＰＢＸ
８，１７，３２  制御部（サーバ）
９  登録機（光学部）
２０  登録機
１８，１９，３３  メモリ
１０  制御部
１１  照合機（光学部）
１２，１３，１４，１５  ドア（電気錠、入退出センサ）
２１，２５，２９  携帯端末
２２  簡易携帯電話
２３  ＬＣＤ
２４，２７，３０  制御部
Ａ，Ｂ，Ｃ  屋内基地局
ａ，ｂ，ｃ  無線ゾーン
【図１】
2011047270.tif 000003
【図２】
2011047270.tif 000004
【図３】
2011047270.tif 000005
【図４】
2011047270.tif 000006
【図５】
2011047270.tif 000007
【図６】
2011047270.tif 000008
【図７】
2011047270.tif 000009
【図８】
2011047270.tif 000010
【図９】
2011047270.tif 000011
【図１０】
2011047270.tif 000012
【図１１】
2011047270.tif 000013